(57)【特許請求の範囲】
【請求項１】
シートの先端を前記搬送ローラ間に導くガイドと、前記ガイドから導かれた前記シートを所定の方向に搬送する一対の搬送ローラと、前記一対の搬送ローラに搬送される前記シートの先端を検出する検出手段とを有し、
各前記搬送ローラは、軸線上に二つ以上配置され、
前記検出手段は、前記シートが搬送される川上側且つ前記搬送ローラ同士が接触する位置の近傍、または前記シートが搬送される川上側且つ前記シートを介して前記搬送ローラ同士が接触する位置の近傍に配置され、
前記検出手段は、前記搬送ローラ対に突き当てた時の前記シート先端の検出結果により、前記シートの厚さを判別することを特徴とするシート厚さ判別装置。
【請求項２】
前記検出手段の前記シートが搬送される側には、前記シートの通過を検出する通過検出手段が配置されていることを特徴とする請求項１記載のシート厚さ判別装置。
【請求項３】
前記ガイドは、前記搬送ローラに向かうに従い徐々に狭くなり、前記シートを前記搬送ローラ側にスムーズに搬送する導入部と、所定以上の厚さを持つ前記シートの搬送を規制する規制部とを有することを特徴とする請求項１または２記載のシート厚さ判別装置。
【発明の詳細な説明】
【技術分野】
【０００１】
本発明は、用紙厚判別装置に関する。
【背景技術】
【０００２】
用紙の厚さを判別する装置の構成として特許文献１のようなものがある。この特許文献の構成は、ループ形成ローラにより用紙を搬送して、用紙の先端をレジストローラに突き当てる時に、モータに流れる電流値を測定するものである。
【０００３】
【特許文献１】特開２００４−１８１２７号公報
【発明の開示】
【発明が解決しようとする課題】
【０００４】
しかし構成は、モータに流れる電流を測定するものであり、測定値や用紙の厚さにばらつきがあるため、測定値のサンプリングを多く取る必要があった。
【課題を解決するための手段】
【０００５】
上記課題を解決するために、本発明は、シートの先端を搬送ローラ間に導くガイドと、ガイドから導かれたシートを所定の方向に搬送する一対の搬送ローラと、一対の搬送ローラに搬送される前記シートの先端を検出する検出手段とを有し、
各搬送ローラは、軸線上に二つ以上配置され、検出手段は、シートが搬送される川上側且つ搬送ローラ同士が接触する位置の近傍、またはシートが搬送される川上側且つシートを介して搬送ローラ同士が接触する位置の近傍に配置され、検出手段は、搬送ローラ対に突き当てた時のシート先端の検出結果により、シートの厚さを判別することを特徴とする。
【０００６】
また、請求項２記載の発明は、検出手段のシートが搬送される側には、前記シートの通過を検出するシート通過検出手段が配置されていることを特徴とする。さらに、請求項３記載の発明は、ガイドは、搬送ローラに向かうに従い徐々に狭くなり、シートを搬送ローラ側にスムーズに搬送する導入部と、所定以上の厚さを持つシートの搬送を規制する規制部とを有することを特徴とする。
【発明の効果】
【０００７】
上記構成により、本発明によれば、簡単な構成で、シートの厚さを判別することができる。
【発明を実施するための最良の形態】
【０００８】
以下、本発明の形態を、図を参照して説明する。図１に本発明のシートの厚さ判別装置を適用した画像読取装置の概略図を示す。この装置は、例えばＡ０サイズまでの大判用紙サイズのシートを読み取るＬＥＤプリンタ等の印字出力装置に接続可能なイメージスキャナであり、スキャナ部とプリンタ部が一体となった複写機においても利用される。
【０００９】
このイメージスキャナは、シートＰに記載されたデータを読み取る本体部１０と、リンク機構２０によりシートＰの厚さに対応して上下にシフトする矢印ａ方向に持ち上げることが可能な蓋３０と、シートＰを搬送する一対の搬送ローラ４０とにより構成される。なお、シートＰに記載されたデータとは、イメージや文字、またはこれらが含まれたものをさす。
【００１０】
本体部１０は、読取手段１１と、読取手段１１を挟むように配設された送りローラ１２と排出ローラ１３とからなる。読取手段１１は、縮小光学系であり、第１ミラーＭ１と、第２ミラーＭ２、第３ミラーＭ３、第４ミラーＭ４と、投撮レンズＬと、撮像素子がライン状に配設されたイメージセンサＳと、二つの光源（Ｌ１、Ｌ２）と、固定台１１とからなる。
【００１１】
固定台１１には、シートＰに反射させた光源の光をイメージセンサＳに到達させるために、第１ミラーＭ１、第２ミラーＭ２、第３ミラーＭ３および第４ミラーＭ４が所定の角度を持って配置されている。このような構成により、シートＰに反射させた光源（Ｌ１、Ｌ２）の光は、第１ミラーＭ１、第２ミラーＭ２を介し、第３ミラーＭ３、第４ミラーＭ４を介して、それぞれ投撮レンズＬで集光し、イメージセンサＳで読み込まれる。
【００１２】
蓋３０は、前部押えローラ３１と、プラテンローラ３２と、後部押えローラ３３からなる。前部押えローラ３１は、シート挿入側に配置され、シートＰを読み取る位置にセットされた時、送りローラ１２と対向する位置に取り付けられている。さらに、後部押えローラ３３は、シート排出側に配置され、シートＰを読み取る位置にセットされた時、排出ローラ１３と対向する位置に取り付けられている。さらに、前部押えローラ３１および後部押えローラ３３は小ローラ（符号なし）を軸線上に二つ以上配置されている。
【００１３】
さらに、図２に示すように、シートＰが挿入される蓋３０側は、シートＰが一対の搬送ローラ４０側にスムーズに挿入しやすいように一対の搬送ローラ４０側に向かうにしたがって隙間が狭くなる導入部５１と、所定以上の厚さを持つシートＰの搬送を規制する規制部５２が設けられている。また、規制部５２と対向する搬送部位（符号なし）には、シートＰの通過を検出するシート通過検出手段７０が配置されている。
【００１４】
プラテンローラ３２は、前部押えローラ３１から送られたシートＰをコンタクトガラス上方に案内し、シートＰをコンタクトガラス上、すなわち読み取り位置（読取面）にフィットさせるためのものである。これら、送りローラ１２と前部押えローラ３１により一対の搬送ローラ４０が構成される。
【００１５】
送りローラ１２と排出ローラ１３は、前部押えローラ３１および後部押えローラ３３と同様に、小ローラ（符号なし）を軸線上に二つ以上配置され、さらに、送りローラ１２の小ローラ（符号なし）と前部押えローラ３１の小ローラ（符号なし）、排出ローラ１３の小ローラと後部押えローラ３３の小ローラ（符号なし）が、各々対向するように配置されている。
【００１６】
次に、本発明のシートＰの厚さ判別装置について説明する。図２に示すように、シートＰの厚さ判別装置は、シートＰの先端を一対の搬送ローラ４０間に導くガイド５０と、ガイド５０から導かれたシートＰと、所定の方向に搬送する一対の搬送ローラ４０と、一対の搬送ローラ４０に搬送されるシートＰの先端を検出する検出手段６０とからなる。
【００１７】
この実施の形態において、一対の搬送ローラ４０は本体部１０の送りローラ１２と蓋３０の前部押えローラ３１とからなる。検出手段６０は、送りローラ１２の小ローラと前部押えローラ３１の小ローラとが対向して配置されない位置に設けられている。さらに、具体的に述べると、検出手段６０は、シートＰが搬送される川上側且つ送りローラ１２と前部押えローラ３１とが接触する位置の近傍、またはシートＰが搬送される川上側且つシートＰを介して搬送ローラ同士が接触する位置の近傍に配置されている。
【００１８】
次に、動作について説明する。シートＰの先端を送りローラ１２の小ローラと前部押えローラ３１の小ローラとの間に突き当てた時、図３（ａ）に示すように、シートＰの先端をシート通過検出手段７０が検出し、さらに、その先端を検出手段６０が検出した場合、シートＰの厚さが薄いと判断する。なお、この判断は、図示しない制御手段が行う。
【００１９】
シートＰの先端を送りローラ１２の小ローラと前部押えローラ３１の小ローラとの間に突き当てた時、図３（ｂ）に示すように、シートＰの先端をシート通過検出手段７０が検出し、さらに、その先端を検出手段６０が検出されない場合、シートＰの先端は以下の状態にある。シートＰの先端が本来のニップに食い込む部分からから外れ、シートＰの先端が送りローラ１２の小ローラと前部押えローラ３１の小ローラとに挟み込まれている。このことから厚いシートＰが搬送されていると判断する。  
【００２０】
さらに、図３（ｃ）に示すように、シートＰの先端がシート通過検出手段７０も検出手段６０が検出されない場合、画像読取装置で読み取るシートＰの厚さが超えていると判別する。
【００２１】
このように、簡単な構成で、シートＰの先端をシートＰの先端を送りローラ１２の小ローラと前部押えローラ３１の小ローラとの間に突き当てる動作のみで、シートＰの厚さを判別することができる。
【図面の簡単な説明】
【００２２】
【図１】本発明のシートの厚さ判別装置を適用した画像読取装置の概略図。
【図２】本発明のシートの厚さ判別装置の概略図。
【図３】本発明のシートの厚さ判別装置の動作を示す図であり、（ａ）は薄いシートを搬送した状態を示す図、（ｂ）は薄いシートを搬送した状態を示す図、（ｃ）は規定以上の厚さのシートを搬送しようとしている図。
【符号の説明】
【００２３】
１０  本体部
２０  リンク機構
３０  蓋
４０  一対の搬送ローラ
５０  ガイド
６０  検出手段
７０  シート通過検出手段
Ｐ  シート
【図１】
0005544146.tif 000002
【図２】
0005544146.tif 000003
【図３】
0005544146.tif 000004